(57)【特許請求の範囲】
【請求項１】
複数のノズル列を備える記録ヘッドを、シートの面に沿って前記複数のノズル列が並べられる方向に往復移動させて、前記シートに画像を記録する記録部と、
前記記録ヘッドから前記シートの外側に予備吐出で吐出されるインクを受けるインク受けと、
制御部と、
を有し、前記制御部の制御により、
前記方向においてシート上の記録領域が前記インク受けに近いシート端部近傍の狭い第１領域に限定されているときには前記第１領域に対応する第１の反転位置で前記記録ヘッドを反転させて記録を行う第１記録動作が実行され、前記方向において記録領域が前記第１領域よりも大きい第２領域であるときには前記第１の反転位置を超えた前記第２領域に対応する第２の反転位置で前記記録ヘッドを反転させて記録を行う第２記録動作が実行され、
前記第１記録動作においては、予備吐出で必要とする前記記録ヘッドの走査距離と、前記方向において前記第１領域の前記インク受けから遠い側の端部位置および前記複数のノズル列のうちいずれを記録に使用するかに応じて求められる画像記録で必要とする前記記録ヘッドの走査距離と、のうち長い方の走査距離となるように前記第１の反転位置が設定され、前記記録ヘッドが前記インク受け側から前記記録領域側へと向かう１走査の際に前記複数のノズル列の全てが前記インク受けの上を通過して予備吐出がなされることを特徴とするインクジェット記録装置。 
【請求項２】
前記制御部は、前記記録ヘッドが走査開始位置にあるときの記録に使用するノズル列のうち最も前記インク受けから離れているノズル列の位置から前記端部位置までの第１の距離と、前記記録ヘッドが走査開始位置にあるときの前記複数のノズル列のうち最も前記インク受けから離れているノズル列の位置から前記インク受けまでの第２の距離のうち、大きい方の距離に基づいて、前記第１の反転位置を決めることを特徴とする、請求項１記載のインクジェット記録装置。
【請求項３】
前記制御部は、前記方向において、前記インク受けから前記端部位置までの第１の距離が、前記複数のノズル列の中で最もホームポジション側のノズル列と記録に使用するノズル列のうち最もホームポジションから遠いノズルとの第２の距離よりも小さい場合には、前記最もホームポジション側のノズル列が前記インク受けの上に移動するように、前記第１の反転位置を決めることを特徴とする、請求項１記載のインクジェット記録装置。
【請求項４】
前記複数のノズル列のうち、あるノズル列から前記インク受けへの予備吐出を行うのと並行して、前記あるノズル列とは別のノズル列から前記シートに記録することが可能であることを特徴とする、請求項１から３のいずれか１項に記載のインクジェット記録装置。 
【請求項５】
前記制御部は、前記１走査の際に前記インク受けへの予備吐出を行わずに記録動作を実行させることが可能であることを特徴とする、請求項１から４のいずれか１項に記載のインクジェット記録装置。
【請求項６】
前記記録ヘッドが往復移動する範囲をカバーする範囲に設けられたプラテンをさらに有し、前記インク受けは前記プラテンに設けられていることを特徴とする、請求項１から５のいずれか１項に記載のインクジェット記録装置。
【請求項７】
前記方向において、前記シートから見て前記インク受けよりも遠くに、前記インク受けよりも大きく且つ前記複数のノズル列の全てをカバーするサイズを持つ別のインク受けが設けられていることを特徴とする、請求項６に記載のインクジェット記録装置。
【発明の詳細な説明】
【技術分野】
【０００１】
本発明はインクジェット方式の記録装置と記録方法に関する。
【背景技術】
【０００２】
特許文献１には、インクの吐出不良を防止するため予備吐出を行うことができるインクジェット記録装置の例が開示されている。記録ヘッドをシートから外れた非記録領域に移動させ、インク受けに予備吐出を行うことで、記録ヘッドの目詰まりや吐出不良を軽減することができる。
【先行技術文献】
【特許文献】
【０００３】
【特許文献１】特開平７−０２５０２６号公報
【発明の概要】
【発明が解決しようとする課題】
【０００４】
プリントスループットを向上させるため、画像記録のために往復移動する記録ヘッドの同一の走査の中で、シートへの記録と予備吐出を行うことが好ましい。記録ヘッドの走査において、シート上の記録領域に応じてヘッド走査方向を反転する反転位置を定めることで、記録ヘッドの移動距離をできるだけ短くすることが望まれる。
【０００５】
しかし、シートへの記録領域の設定や記録に使用するノズル列の選択によっては、往復移動の際に記録ヘッドの複数のノズル列の一部がインク受けの上に到達できなくなる可能性がある。インク受けの上に到達できないノズル列は予備吐出を行うことができないので、インク吐出不良となって画像品位が低下する。
【０００６】
本発明は、記録のための記録ヘッドの往復移動においてすべてのノズル列の予備吐出を確実に行うことができる手法を提供することを目的とする。
【課題を解決するための手段】
【０００７】
本発明のインクジェット記録装置は、複数のノズル列を備える記録ヘッドを、シートの面に沿って前記複数のノズル列が並べられる方向に往復移動させて、前記シートに画像を記録する記録部と、前記記録ヘッドから前記シートの外側に予備吐出で吐出されるインクを受けるインク受けと、制御部と、を有し、前記制御部の制御により、前記方向においてシート上の記録領域が前記インク受けに近いシート端部近傍の狭い第１領域に限定されているときには前記第１領域に対応する第１の反転位置で前記記録ヘッドを反転させて記録を行う第１記録動作が実行され、前記方向において記録領域が前記第１領域よりも大きい第２領域であるときには前記第１の反転位置を超えた前記第２領域に対応する第２の反転位置で前記記録ヘッドを反転させて記録を行う第２記録動作が実行され、前記第１記録動作においては、予備吐出で必要とする前記記録ヘッドの走査距離と、前記方向において前記第１領域の前記インク受けから遠い側の端部位置および前記複数のノズル列のうちいずれを記録に使用するかに応じて求められる画像記録で必要とする前記記録ヘッドの走査距離と、のうち長い方の走査距離となるように前記第１の反転位置が設定され、前記記録ヘッドが前記インク受け側から前記記録領域側へと向かう１走査の際に前記複数のノズル列の全てが前記インク受けの上を通過して予備吐出がなされることを特徴とする。
【発明の効果】
【０００９】
本発明によれば、シート上の記録領域の設定および複数のノズル列のうちいずれを記録に使用するかに関わらず、記録のための記録ヘッドの往復移動においてすべてのノズル列の予備吐出を確実に行うことができる。これにより、画像品位の低下抑制とプリントスループット向上を両立することができる。
【図面の簡単な説明】
【００１０】
【図１】実施例に係るインクジェット記録装置の記録部の構成図
【図２】制御部を中心とするシステム構成を示すブロック図
【図３】印刷と並行してインク受けへ予備吐出を行う様子を示す図
【図４】シート上に設定された記録領域に応じた往復移動の範囲を示す図
【図５】一部のノズル列の予備吐出を行えない場合の様子を示す図
【図６】記録ヘッドの移動範囲を求める手法を説明するための図
【図７】記録ヘッドの移動範囲を求める手法を説明するための図
【図８】インク受けに対する予備吐出の様子を示す図
【図９】記録ヘッドの移動範囲を求める手法を説明するための図
【図１０】記録ヘッドの移動制御の手順を示すフローチャート
【図１１】図１０のフローチャートの一部ステップの詳細手順を示すフローチャート
【発明を実施するための形態】
【００１１】
図１はインクジェット記録装置の記録部の構成図であり、記録ヘッドが往復移動する範囲での各部材の位置関係を模式的に示したものである。記録ヘッド２０は複数のノズル列を搭載するインクジェット記録ヘッドである。記録ヘッド２０は、インクジェット方式でインクを吐出するノズル列２１が複数（６色分のノズル列２１ａ、２１ｂ、２１ｃ、２１ｄ、２１ｅ、２１ｆ）が矢印１５の方向に沿って並べられている。記録ヘッド２０はキャリッジに搭載されており、キャリッジは矢印１５の方向に往復移動（双方向スキャン）する。ガイド１３はキャリッジの移動をガイドする。記録ヘッド２０は移動しながらシート１４（記録媒体）に向けてインクを吐出し、シートの上に１バンド分の画像を記録（印刷）する。シート１４は矢印１６の方向に１バンド分ずつステップ送りで給紙され（副走査）、記録ヘッド２０の矢印１５の往復移動（主走査）と合わせて、シリアルプリント方式でシートに画像が形成される。
【００１２】
プラテン１０は、画像記録の際に記録ヘッド２０がキャリッジによって往復移動する最大範囲（図中の１７ｂ）をカバーする範囲（図中の１７ａ）に設けられており、プラテン１０の支持面には、副走査で移動するシート１４が保持される。図１の例ではシート１４は１７ｃで示すシート幅を有している。プラテン１０の支持面には、インク受け１１（インク滴回収部）が埋め込まれるように設けられている。インク受け１１は、記録ヘッドの走査領域内に設けられ、１７ｃの近傍に設けられている。記録ヘッド２０を移動させながら、あるノズル列がインク受け１１の上を通過するタイミングで、そのノズル列に含まれるインクノズルからインク受け１１に向けて予備吐出を行う。予備吐出は１つのノズルから数発（例えば５発）のインク滴を吐出させる。記録ヘッド２０が往復移動する際に１走査において印刷と予備吐出の両方を行うことができる。
【００１３】
記録ヘッドが移動する方向において、インク受け１１のさらに外側、ホームポジション（初期位置）の近くに、インク受け１１よりも大きなインク受け１２が設けられている。インク受け１２は複数のノズル列すべてをカバーするサイズ（図中１７ｄで示す範囲）を有し、インク受け１２の上に記録ヘッド２０が位置した状態で、すべてのノズル列から略同時に予備吐出させることができる。
【００１４】
記録動作中に、このインク受け１２へ記録ヘッド２０を移動させて予備吐出することも可能である。しかし、インク受け１２の位置まで記録ヘッド２０を頻繁に移動させると、その移動時間がプリントスループットの低下の要因となる。そこで、なるべくインク受け１２で予備吐出を行わず、インク受け１１で予備吐出を行うことが好ましい。
【００１５】
図２はインクジェット記録装置における制御部を中心とするシステム構成を示すブロック図である。記録ヘッド２０に搭載された複数のノズル列２１ａ、２１ｂ、２１ｃ、２１ｄ、２１ｅ、２１ｆは各々独立したデータ転送信号線３４ａ、ノズル列に共通な吐出タイミング信号線３４ｂ、データ転送用クロック線３４ｃによって、吐出制御部３０と接続されている。吐出制御部３０は、印刷用データ生成部３１、予備吐出用データ生成部３２、データ転送・吐出タイミング生成部３３と接続されている。
【００１６】
キャリッジには記録ヘッド２０と共にエンコーダセンサ２２が取り付けられている。エンコーダセンサ２２は、ガイド１３と平行に取り付けられたコードストリップ１８のコードを光学的に読み取る。読み取ったコードの信号は、エンコーダ信号線３５にエンコーダ信号として送られて、データ転送・吐出タイミング生成部３３へ記録ヘッドの位置情報として伝達される。データ転送・吐出タイミング生成部３３は、エンコーダ信号を基にヘッドへのデータ転送タイミングおよびヘッドの吐出タイミングを生成する。生成された印刷データ（記録データ）と予備吐出データは吐出制御部３０で統合し、ノズル列ごとに印刷データを転送する。また、エンコーダ信号に基づいてデータ転送・吐出タイミングを制御する。こうして、複数のノズル列で印刷と予備吐出を並行して動作させることが可能である。
【００１７】
図３は、記録ヘッド２０の１回の走査の中で、印刷とインク受け１１へ予備吐出の両方を並行して行う手順を示す模式図である。記録ヘッド２０はホームポジション側の走査開始位置（往復移動の一方の停止位置）からシート１４の方向（白抜きの矢印方向）へ走査を開始する。図３（ａ）に示す状態は、走査で最も先行する左端のノズル列２１ａがインク受け１１の真上に来た瞬間である。このタイミングでノズル列２１ａからインク受け１１に向けて予備吐出を行う。このとき、他のノズル列２１ｂ〜２１ｆはインク受け１１の上に到達していないので予備吐出を行わない。次いで、ノズル列２１ｂがインク受け１１の真上に位置するタイミングでノズル列２１ｂの予備吐出を行う。このときノズル列２１ａは予備吐出を終了している。
【００１８】
図３（ｂ）に示す状態では、ノズル列２１ｃがインク受け１１の上に位置し、且つ先行するノズル列２１ａはシート１４の上の記録領域のホームポジション側の端部に位置している。このタイミングでは、３つめのノズル列２１ｃが予備吐出するとともに、ノズル列２１ａはシート１４に向けて記録のためにインクを吐出する。つまり、先行するノズル列で記録を行うと並行して後続のノズル列は予備吐出を行う。なお、本明細書において「並行して」とは、記録のためのインク吐出タイミングと別のノズルからの予備吐出のタイミングが略一致（完全一致または時間のオーバーラップを持って僅かなずれはあるが実質的に同じ）である形態に限定されない。オーバーラップなく短時間に順次行うようなタイミングである形態も「並行して」の意味に含まれるものとする。
【００１９】
以降同様に、ノズル列２１ｄ、２１ｅ、２１ｆの順にインク受け１１上で予備吐出すると並行して、シート１４の記録領域に到達した先行するノズル列はインクを吐出して印刷を行う。図３（ｃ）に示す状態では、先行するノズル列２１ａ〜２１ｄが印刷を行うと並行して、最も遅れたノズル列２１ｆが予備吐出を行う。図３（ｄ）に示す状態では、予備吐出を終えたすべてのノズル列がシート１４の上に位置している。記録ヘッド２０を記録領域をカバーする範囲で走査しながら、すべてのノズル列２１ａ〜２１ｆを用いて１バンドの印刷を完成させる。記録ヘッドが往復移動の反転位置まで来たら、記録ヘッド２０の移動方向が反転する。１バンドの副走査の後に記録ヘッド２０は走査開始位置まで戻る。以降、同様に往復動を繰り返して画像を形成していく。
【００２０】
図４は、シート上に設定される記録領域に応じて記録ヘッド２０の往復移動の範囲（走査の反転位置）が変化する様子を示す模式図である。図中、４０ａ、４０ｂは印刷によりシート１４に記録が行われる記録領域を表し、４１ａ、４１ｂは記録ヘッド２０がシート上を走査する軌跡（主走査と副走査によってなされるシート面に対する２次元の軌跡）を表す。図４（ａ）に示すように記録領域４０ａがシート１４の全面の広い領域として設定されている場合は、記録ヘッドは大きな往復移動ストロークとなり、軌跡４１ａもシート１４のシート幅方向の両側端部を通過する。
【００２１】
これに対して図４（ｂ）に示すように、記録領域４０ｂがホームポジション側の端部近傍の狭い領域として設定されている場合は、記録ヘッドは小さな往復移動ストロークとなり、記録ヘッド２０の軌跡４１ｂはシート１４のホームポジション側の端部のみ通過する。このように記録領域のサイズおよび設定される場所に応じて、記録ヘッドの往復移動における最適な反転位置を設定する。ここでいう反転位置は、ホームポジションまたはインク受け１１から遠い側の反転位置であり、ホームポジションに近い側の反転位置（走査開始位置）は繰り返しの往復移動において一定である。こうして、記録領域の設定に応じた往復移動ストロークとすることで、記録に要する時間を短縮するすなわちプリントスループットを向上させることができる。
【００２２】
図４（ｂ）のように、記録領域４０ｂがホームポジション側に偏って小さい、すなわち記録ヘッドの移動ストロークもシート幅方向において小さい場合には、以下に説明する現象が起きる可能性がある。これが本実施形態において着目する課題である。
【００２３】
図５は、図４（ｂ）記録領域の設定における記録ヘッドの移動の様子を示す模式図である。記録領域はシートのホームポジション側の端部近傍の狭いエリアに設定されている。この例では、記録領域への印刷に使用するのはノズル列２１ａ（１つの色、例えばブラック）だけで、他のノズル列２１ｂ〜２１ｆ（他の色）は印刷には用いないものとする。なお、これはあくまで一例であって、複数のノズル列のうち、１つまたは複数のいずれのノズル列を印刷に使用するかは、画像に含まれる色によって決まる。
【００２４】
図５（ａ）に示す状態では、先行するノズル列２１ａを用いた印刷と並行して、インク受け１１上でノズル列２１ｃから予備吐出を行う。ノズル列２１ａが記録領域の左端（ホームポジションから遠い側の端部）まで移動して記録領域への印刷が終了したら、記録ヘッド２０の走査を停止させる。図５（ｂ）は走査を停止させた状態であり、ここが往復移動の反転位置になる。この状態では、ノズル列２１ｄがインク受け１１の上に位置し予備吐出が必要であるにもかかわらず、ヘッド走査に伴うエンコーダ信号がデータ転送・吐出タイミング生成部３３に入力されず、ノズル列２１ｄの予備吐出を行うことができない。さらに後続のノズル列２１ｅ、２１ｆはインク受け１１上に到達することすらできないため、予備吐出を行うことができない。
【００２５】
プラテンを基準として見たとき、プラテン１０に沿って記録領域のホームポジションから遠い側の端部位置がホームポジションに近くなるほど、この現象は起きやすくなる。使用するシートのシート幅方向のサイズ（プラテン上でシートが通過する位置）が変わると現象の起きやすさも変わり得る。また、複数のノズル列２１ａ〜２１ｆのうちいずれのノズル列を記録に使用するかによって、現象は起きやすさは変わる。使用する複数のノズルの間隔によっても現象の起きやすさは異なる。
【００２６】
本実施形態は以上の課題に鑑みてなされたものである。基本的には、シート上の記録領域の設定および複数のノズル列のうちいずれを記録に使用するかに応じて、往復移動での１走査の際に複数のノズル列の全てがインク受け１１の上を通過するように、記録ヘッド２０が往復移動において反転する反転位置を決める。制御部は、予備吐出で必要とする記録ヘッド２０の走査距離、および印刷で必要とする記録ヘッド２０の走査距離をそれぞれ求め、長い方の距離に基づいて記録ヘッド２０の移動範囲（往復移動における反転位置）を設定する。
【００２７】
より具体的には、制御部は、記録ヘッド２０が走査開始位置にあるときの記録に使用するノズル列のうち最もインク受け１１から離れているノズル列の位置から、記録領域の端部位置（インク受け１１から遠い側）までの距離（第１の走査距離）を求める。また、記録部は、記録ヘッド２０が走査開始位置にあるときの複数のノズル列のうち最もインク受け１１から離れているノズル列の位置から、インク受け１１までの距離（第２の走査距離）を求める。そして制御部は、第１の走査距離と第２の走査距離の大小関係を比較し、大きい方の距離に基づいて往復移動における反転位置（ホームポジションから離れた側）を決めて設定する。
【００２８】
ここで、記録領域の端部位置（インク受け１１から遠い側）は、印刷する画像の大きさ、印刷する画像のシート上でのレイアウトなどの情報に基づいて求めることができる。これらは、制御部のメモリに記憶される記録ための画像データ、レイアウト情報、使用するシートのサイズ等に基づいて知ることができる。
【００２９】
この制御により、往復移動での１走査の際にノズル列２１ａ〜２１ｆの全てがインク受け１１の上を通過する。したがって、すべてのノズル列がインク受け１１に対して予備吐出を行うことができる。
【００３０】
次のような別の方法を採用してもよい。制御部は、インク受け１１から記録領域のインク受け１１から遠い側の端部位置までの距離（第１の距離）を求める。また、複数のノズル列の中で最もホームポジション側のノズル列と、記録に使用するノズル列のうち最もホームポジションから遠いノズルとの間の距離（第２の距離）を求める。そして、第１の距離と第２の距離を比較する。第１の距離が第２の距離よりも小さい場合には、記録に必要な移動距離を増やして、複数のノズル列の最もホームポジション側のノズル列がインク受けの上に移動するように、反転位置を決めて設定する。
【００３１】
図６は、すべてのノズル列を用いて広い記録領域に印刷し、且つ予備吐出を行う場合（図３、図４（ａ）参照）における、記録ヘッドの移動範囲（往復移動の反転位置）の求め方を説明するための図である。図６の横軸は時間スケールであり、右から左へ時間が経過する。
【００３２】
５６ａは記録ヘッド２０の走査開始位置で移動を開始するときの時間、５６ｃは記録ヘッド２０の走査終了位置（反転位置）に移動したときの時間である。区間５０ａは最も先行するノズル列２１ａが予備吐出を行う時間幅を示す予備吐出区間であり、区間５１ａは同じノズル列２１ａがシートの上に印刷を行う時間幅を示す印刷区間である。同様に、区間５０ｂ〜５０ｆ、区間５１ｂ〜５１ｆは、それぞれノズル列２１ｂ〜２１ｆの予備吐出区間および印刷区間を表す。ここで、区間５０ａの開始タイミング（区間の右端）と区間５１ａの開始タイミング（区間の右端）との間の距離は、ノズル列２１ａから吐出されるインクで記録される画像領域の右端の位置（走査方向上流側の位置）からインク受け１１までの距離に対応する。区間５１ａの時間幅は、ノズル列２１ａから吐出されるインクで記録される画像領域の走査方向における画像サイズに対応する。この関係は他のノズル列における区間についても同様である。
【００３３】
少なくとも最後のノズル列２１ｆが区間５０ｆにおいて予備吐出を終える位置（時間５６ｂ）まで記録ヘッド２０を走査すれば、すべてのノズル列２１ａ〜２１ｆがインク受けの上を通過して予備吐出を行うことができる。予備吐出で必要とする記録ヘッドの走査距離（期間５３に対応）は、走査開始位置（時間５６ａ）からノズル列２１ｆがインク受け１１に到達し予備吐出を開始するまでの距離（期間５５ａ）と、ノズル列２１ｆが予備吐出を行う区間５０ｆの距離（期間５５ｂに対応）との和である。この後、最後のノズル列２１ｆが印刷を終える位置（時間５６ｃ）まで記録ヘッドを走査することにより、すべてのノズル列２１ａ〜２１ｆで画像領域に印刷を終えることができる。印刷で必要とする記録ヘッドの走査距離（期間５４ａに対応）は、走査開始位置（時間５６ａ）とノズル列２１ｆの印刷終了位置（時間５６ｃ）の間の距離（期間）である。
【００３４】
制御部は、予備吐出で必要とする記録ヘッドの走査距離（期間５３に対応）と、印刷で必要とする記録ヘッドの走査距離（期間５４ａに対応）とを比較する。そして、長い方の距離に応じた距離だけ記録ヘッド２０を走査させるよう制御する。図６の例では、期間５４ａに対応した距離の方が長い。制御部は記録ヘッド２０を少なくとも期間５４ａに対応した距離だけ走査させるよう、記録ヘッド２０の移動範囲（往復移動における走査反転位置）を設定する。こうして、すべてのノズル列２１ａ〜２１ｆによる予備吐出と印刷を行うことができる。
【００３５】
予備吐出に必要な走査距離と印刷に必要な走査距離はそれぞれ、加速や減速のための距離やノズル列毎の位置調整などを考慮したマージンを考慮することが好ましい。マージンを付加することにより、印刷および予備吐出で必要とするエンコーダ信号が確実にデータ転送・吐出タイミング生成部３３に入力され、印刷と予備吐出の信頼性を向上させることができる。
【００３６】
図７は、記録領域がシート端部近傍の狭い領域であり、且つ記録にはノズル列２１ａのみ使用して他のノズル列２１ｂ〜２１ｆは使用しない場合（図５、図４（ｂ）参照）の例を示す。図６と同様、図７の横軸は時間スケールであり、右から左へ時間が経過する。予備吐出で必要とする記録ヘッドの走査距離（期間５３に対応）は、図６の場合と同様に求めることができる。
【００３７】
一方、図７において印刷を行う区間は、印刷に用いるノズル列２１ａの印刷区間５１ｇのみである。印刷で必要とする記録ヘッドの走査距離（期間５４ｂに対応）は、走査開始位置（時間５６ａ）と、ノズル列２１ａの印刷終了位置（時間５６ｄ）との間の距離（期間）となる。
【００３８】
制御部は、予備吐出で必要とする記録ヘッドの走査距離と、印刷で必要とする記録ヘッドの走査距離を比較する。図７の例では、先の図６とは逆に前者の走査距離の方が長い。制御部は記録ヘッド２０を少なくとも期間５３に対応した距離だけ走査させるよう、記録ヘッド２０の移動範囲（往復移動における走査反転位置）を設定する。こうして、すべてのノズル列２１ａ〜２１ｆがインク受けの上を通過して予備吐出を行うことができ、且つノズル列２１ａによるシート端部への印刷を完成させることができる。
【００３９】
図８は、図７の方法で制御したときの動作の様子を示す模式図である。図８（ａ）の状態では、図５（ａ）と同様にノズル列２１ａの印刷と並行して、インク受け１１上でノズル列２１ｃの予備吐出を行う。図５の例と違って、ノズル列２１ａの印刷が済んだ後も記録ヘッド２０の移動を継続させる。図８（ｂ）に示す位置では、ノズル列２１ｄの予備吐出を行うことができる。図８（ｃ）に示す位置まで記録ヘッド２０を移動させながら、各ノズル列がインク受け１１の上を通過するごとに予備吐出を行う。図８（ｃ）の位置が反転位置であり、記録ヘッド２０の移動方向が反転する。１バンドの副走査の後に記録ヘッド２０は走査開始位置まで戻る。戻る際にも記録および各ノズル列から予備吐出を行うようにしてもよい。以降、同様に往復動を繰り返して記録領域に画像を形成していく。
【００４０】
なお、１枚のシートに図４（ａ）、図４（ｂ）のような記録領域が混在するケースも考えられる。この場合は、シート上の場所に応じて記録ヘッド２０の移動範囲（往復移動における走査反転位置）を異ならせるように設定すればよい。
【００４１】
以上の例では、記録ヘッド２０が往復動作を繰り返すごとに、毎回予備吐出を行うものであるが、必ずしも毎回行わなくてもよい。例えば、印刷累積時間や記録ヘッドの走査回数に応じて、所定回数の走査に一度、予備吐出を行うようにしてもよい。
【００４２】
図９は、予備吐出を伴わずに記録する場合の記録ヘッドの移動範囲の求め方を説明するための図である。印刷で必要とする記録ヘッドの走査距離（期間５４ｃに対応）は、走査開始位置（時間５６ｅに対応）とノズル列２１ｆの印刷終了位置（時間５６ｃに対応）の間の距離である。制御部は記録ヘッド２０を少なくとも期間５４ｃに対応した距離だけ走査させるよう、記録ヘッド２０の移動範囲（往復移動における走査反転位置）を設定する。
【００４３】
このケースでは、予備吐出を行わないため、記録ヘッド走査開始位置（時間５６ｅ）を、図６の記録ヘッド走査開始位置（時間５６ａ）よりも、ノズル列２１ａの印刷区間５１ａに近づけることができる。そのため、記録ヘッドの走査距離を短縮し、プリントスループットをより向上させることができる。なお、予備吐出を伴わずに図４（ｂ）のような狭い記録領域に記録する場合には、走査距離は、図７において予備吐出で必要とする記録ヘッドの走査距離は考慮する必要はなく、期間５４ｂの短い走査距離で済む。
【００４４】
図１０および図１１は、これまで説明した手順による移動制御のシーケンスを示すフローチャートである。図１０において、Ｓｔｅｐ１では記録ヘッド走査で予備吐出を行うかどうか判定する。予備吐出を行う場合（判断がＹｅｓ）はＳｔｅｐ２に移行する。Ｓｔｅｐ２では、予備吐出で必要とする記録ヘッドの走査距離ＬＡを前述の方法で算出して取得する。予備吐出を行わない場合（Ｓｔｅｐ１の判断がＮｏ）は、Ｓｔｅｐ２をスキップしてＳｔｅｐ３に移行する。Ｓｔｅｐ３では、印刷で必要とする記録ヘッドの走査距離ＬＢを前述の方法で算出して取得する。Ｓｔｅｐ４では、記録ヘッドの走査距離を判定して走査を開始する。
【００４５】
図１１はＳｔｅｐ４の詳細手順を示すサブルーチン（サブ１）のフローチャートである。Ｓｔｅｐ１１で、記録ヘッド走査で予備吐出を行うかどうか判定する。予備吐出を行う場合（判断がＹｅｓ）はＳｔｅｐ１２に移行する。Ｓｔｅｐ１２では、ＬＡとＬＢの大小関係を比較する。ＬＡがＬＢよりも大きい場合（判断がＹｅｓ）は、Ｓｔｅｐ１３に移行する。Ｓｔｅｐ１３では、走査距離をＬＡと設定し、設定した走査距離に基づいて記録ヘッドの走査を行う。一方、ＬＡがＬＢ以下の場合（Ｓｔｅｐ１２の判断がＮｏ）は、Ｓｔｅｐ１４に移行する。Ｓｔｅｐ１４では、走査距離をＬＢと設定し、設定した走査距離に基づいて記録ヘッドの走査を行う。なお、Ｓｔｅｐ１１の判断で予備吐出を行わない場合（判断がＮｏ）は、Ｓｔｅｐ１４に移行して、走査距離をＬＢと設定して走査を行う。
【００４６】
走査距離ＬＡを算出する際には、予備吐出を行う複数のノズル列のうちいずれか１つまたは少数を代表的に用いると計算が短時間で済む。例えば最もホームポジションの側のノズル列２１ｆの位置情報を用いる。同様に、走査距離ＬＢを算出する際には、印刷に使用する１つまたは複数のノズル列のうちいずれか１つまたは少数を代表的に用いると計算が短時間で済む。例えば印刷に使用するノズル列のうち最もホームポジション側のノズル列の位置情報を用いる。複数のノズル列を使用するときは、ノズル列間の距離の情報も計算に用いる。また、走査距離ＬＡ、走査距離ＬＢを求める際には、使用するシート１４のシート幅方向のサイズによって決まるプラテン上でのシート位置とインク受け１１との距離の情報を反映することができる。また、使用するインク色毎にシートに記録される範囲が異なる場合がある。そこで、画像データに応じて画像形成に使用するインク色（ノズル列）ごと異なる記録範囲を設定して、走査距離ＬＢを求めるようにしてもよい。
【００４７】
以上の説明はあくまで一例であって、記録ヘッド２０が備えるノズル列の数は、上述の例の数に限定されるものではない。複数のノズル列のうち１つまたは複数のいずれのノズル列を印刷に使用するかは、画像に含まれる色によって決まる。
【００４８】
また、インク受け１１の数は１つに限らず、シートの幅に応じて複数を設けた構成であってもよいし、シートの両側にインク受けを設けた構成であってもよい。また、予備吐出を伴う記録ヘッドの走査を連続して行う場合は、上述の方法で走査距離を決定した後、走査開始前または走査中に走査距離を延長すればよい。走査距離を延長することで、シートに対して反対側のインク受け上で、次回の走査で予備吐出を行うことができる。
【００４９】
シート近傍のインク受け上での予備吐出、および近傍ではないインク受け上での予備吐出を、印刷の際に組み合わせて行う場合も同様である。近傍ではないインク受け上で予備吐出を行う場合は、図１０のＳｔｅｐ１および図１１のＳｔｅｐ１１で、予備吐出を行わないようにしてもよい。
【００５０】
以上説明した実施形態によれば、シート上の記録領域の設定および複数のノズル列のうちいずれを記録に使用するかに関わらず、記録のための記録ヘッドの往復移動においてすべてのノズル列の予備吐出を確実に行うことができる。これにより、画像品位の低下抑制とプリントスループット向上を高い次元で両立することができる。
【００５１】
以上説明したように記録と予備吐出を並行して行う形態では、シート端部からインク受けまでの距離は非常に小さい。そのため、ある１走査において最先行のノズル列がインク受けの上に位置する際には、最後尾のノズル列はシート端部からおよそ最先行と最後尾の２つのノズル列の間の距離だけ離れた位置となる。一方、記録と予備吐出を並行して行わないとすると、ある１走査において最後尾のノズル列がインク受けの上に位置しても、最先行のノズル列は印刷領域にはまだ到達せずに印刷を行うことができない。この場合は、シート端部からインク受けまでの距離は、最先行と最後尾の２つのノズル列の間の距離よりも大きな距離（例えば、最先行と最後尾のノズル列の間の距離の２倍）だけ離れた位置関係となる。そのため、記録ヘッドの往復移動のストロークが増大することになる。
【００５２】
例えば、最先行と最後尾の２つのノズル列の間の距離：１．６インチ、使用するシート：ＪＩＳ規格のＡ４サイズ（シート幅８．３インチ）、シートの両端で予備吐出を行うものとする。記録ヘッドの往復移動における１走査の移動距離は、次の通り概算することができる。
【００５３】
記録と予備吐出を並行して行う：８．３＋１．６×２＝１１．５（インチ）
記録と予備吐出を並行して行わない：８．３＋１．６×２×２＝１４．７（インチ）
このように本実施形態では、記録ヘッドの走査距離がおよそ２２％短縮し、その分プリントスループットを向上させることができる。なお、本実施形態において、記録領域が狭い場合にもすべてのノズル列で予備吐ができるように走査距離を増やしたとしても、全体から見れば僅かな増加であって、これによるスループットの低下は無視できる程度である。
【符号の説明】
【００５４】
１０  プラテン
１１  インク受け
１２  インク受け
１４  シート
２０  記録ヘッド
２１  ノズル列
【図１】
0006000518.tif 000002
【図２】
0006000518.tif 000003
【図３】
0006000518.tif 000004
【図４】
0006000518.tif 000005
【図５】
0006000518.tif 000006
【図６】
0006000518.tif 000007
【図７】
0006000518.tif 000008
【図８】
0006000518.tif 000009
【図９】
0006000518.tif 000010
【図１０】
0006000518.tif 000011
【図１１】
0006000518.tif 000012